(57)【特許請求の範囲】
【請求項１】
ユーザーの移動時間及び移動距離に関する計測を行う計測部と、
前記計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
を実行するプロセッサーと、を含み、
前記第１の区間は、時間の区間であり、
前記第２の区間は、時間の区間であり、
前記第１のラップ情報には、前記ユーザーの移動距離の情報及び移動速度の情報の少なくとも一方が含まれ、
前記第２のラップ情報には、前記ユーザーの移動距離の情報及び移動速度の情報の少なくとも一方が含まれる、
ウェアラブルなパフォーマンスモニタリング装置。
【請求項２】
ユーザーの移動時間及び移動距離に関する計測を行う計測部と、
前記計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
を実行するプロセッサーと、を含み、
前記第１の区間は、時間の区間であり、
前記第２の区間は、距離の区間であり、
前記第１のラップ情報には、前記ユーザーの移動距離の情報及び移動速度の情報の少な
くとも一方が含まれ、
前記第２のラップ情報には、前記ユーザーの移動時間の情報及び移動速度の情報の少なくとも一方が含まれる、
ウェアラブルなパフォーマンスモニタリング装置。
【請求項３】
前記第１の区間は、
第１の長さを有する複数の第１種のラップ区間であり、
前記第２の区間は、
前記第１の長さとは異なる第２の長さを有する複数の第２種のラップ区間であり、
前記プロセッサーは、
前記第１種のラップ区間の各々について前記第１のラップ情報の出力を行い、
前記第２種のラップ区間の各々について前記第２のラップ情報の出力を行う、
請求項１又は２に記載のパフォーマンスモニタリング装置。
【請求項４】
前記プロセッサーは、
前記ルートを移動している期間内に所定の入力を受け付けた場合には、
前記入力を受け付けた点の属する前記第１種のラップ区間の開始点から前記入力を受け付けた点までのラップ情報と、
現在点の属する前記第２種のラップ区間の開始点から前記入力を受け付けた点までのラップ情報と、
を出力する、
請求項３に記載のパフォーマンスモニタリング装置。
【請求項５】
ユーザーの移動時間及び移動距離に関する計測を行う計測部と、
前記計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
を実行するプロセッサーと、を含み、
前記第１の区間は、
第１の長さを有する複数の第１種のラップ区間であり、
前記第２の区間は、
前記第１の長さとは異なる第２の長さを有する複数の第２種のラップ区間であり、
前記プロセッサーは、
前記第１種のラップ区間の各々について前記第１のラップ情報の出力を行い、
前記第２種のラップ区間の各々について前記第２のラップ情報の出力を行い、
前記ルートを移動している期間内に所定の入力を受け付けた場合には、
前記入力を受け付けた点の属する前記第１種のラップ区間の開始点から前記入力を受け付けた点までのラップ情報と、
現在点の属する前記第２種のラップ区間の開始点から前記入力を受け付けた点までのラップ情報と、
を出力する、
ウェアラブルなパフォーマンスモニタリング装置。
【請求項６】
前記第１の区間は、距離の区間であり、
前記第２の区間は、距離の区間であり、
前記第１のラップ情報には、前記ユーザーの移動時間の情報及び移動速度の情報の少なくとも一方が含まれ、
前記第２のラップ情報には、前記ユーザーの移動時間の情報及び移動速度の情報の少なくとも一方が含まれる、
請求項５に記載のパフォーマンスモニタリング装置。
【請求項７】
前記プロセッサーは、
前記入力を受け付けた点を開始点とする前記第１のラップ情報と、
前記入力を受け付けた点を開始点とする前記第２のラップ情報と、
を出力する、
請求項４〜６の何れか一項に記載のパフォーマンスモニタリング装置。
【請求項８】
前記プロセッサーは、
前記入力を受け付けた点から、前記入力を受け付けた点を含む前記第１種のラップ区間の終了点までのラップ情報と、
前記入力を受け付けた点から、前記入力を受け付けた点を含む前記第２種のラップ区間の終了点までのラップ情報と、
を出力する、
請求項４〜６の何れか一項に記載のパフォーマンスモニタリング装置。
【請求項９】
前記プロセッサーは、
前記計測部の出力に基づいて、前記ルートの開始点から現在点に至る経過情報を更に出力する、
請求項１〜８の何れか一項に記載のパフォーマンスモニタリング装置。
【請求項１０】
前記経過情報には、
前記ユーザーの累積移動時間の情報、累積移動距離の情報、及び平均移動速度の情報のうち少なくとも一つが含まれる、
請求項９に記載のパフォーマンスモニタリング装置。
【請求項１１】
前記プロセッサーは、
前記第１のラップ情報と前記第２のラップ情報とを区別して出力する、
請求項１〜１０の何れか一項に記載のパフォーマンスモニタリング装置。
【請求項１２】
前記ユーザーが腕又は手首に装着可能な請求項１〜１１の何れか一項に記載のパフォーマンスモニタリング装置。
【請求項１３】
ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
を含み、
前記第１の区間は、時間の区間であり、
前記第２の区間は、時間の区間であり、
前記第１のラップ情報には、前記ユーザーの移動距離の情報及び移動速度の情報の少なくとも一方が含まれ、
前記第２のラップ情報には、前記ユーザーの移動距離の情報及び移動速度の情報の少なくとも一方が含まれる、
パフォーマンスモニタリング方法。
【請求項１４】
ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
を含み、
前記第１の区間は、時間の区間であり、
前記第２の区間は、距離の区間であり、
前記第１のラップ情報には、前記ユーザーの移動距離の情報及び移動速度の情報の少なくとも一方が含まれ、
前記第２のラップ情報には、前記ユーザーの移動時間の情報及び移動速度の情報の少なくとも一方が含まれる、
パフォーマンスモニタリング方法。
【請求項１５】
ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
を含み、
前記第１の区間は、
第１の長さを有する複数の第１種のラップ区間であり、
前記第２の区間は、
前記第１の長さとは異なる第２の長さを有する複数の第２種のラップ区間であり、
前記第１種のラップ区間の各々について前記第１のラップ情報を出力し、
前記第２種のラップ区間の各々について前記第２のラップ情報を出力し、
前記ルートを移動している期間内に所定の入力を受け付けた場合には、
前記入力を受け付けた点の属する前記第１種のラップ区間の開始点から前記入力を受け付けた点までのラップ情報と、
現在点の属する前記第２種のラップ区間の開始点から前記入力を受け付けた点までのラップ情報と、
を出力する、
パフォーマンスモニタリング方法。
【請求項１６】
ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
をコンピューターに実行させ、
前記第１の区間は、時間の区間であり、
前記第２の区間は、時間の区間であり、
前記第１のラップ情報には、前記ユーザーの移動距離の情報及び移動速度の情報の少なくとも一方が含まれ、
前記第２のラップ情報には、前記ユーザーの移動距離の情報及び移動速度の情報の少なくとも一方が含まれる、
パフォーマンスモニタリングプログラム。
【請求項１７】
ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
をコンピューターに実行させ、
前記第１の区間は、時間の区間であり、
前記第２の区間は、距離の区間であり、
前記第１のラップ情報には、前記ユーザーの移動距離の情報及び移動速度の情報の少なくとも一方が含まれ、
前記第２のラップ情報には、前記ユーザーの移動時間の情報及び移動速度の情報の少なくとも一方が含まれる、
パフォーマンスモニタリングプログラム。
【請求項１８】
ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、
前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、
をコンピューターに実行させ、
前記第１の区間は、
第１の長さを有する複数の第１種のラップ区間であり、
前記第２の区間は、
前記第１の長さとは異なる第２の長さを有する複数の第２種のラップ区間であり、
前記第１種のラップ区間の各々について前記第１のラップ情報を出力させ、
前記第２種のラップ区間の各々について前記第２のラップ情報を出力させ、
前記ルートを移動している期間内に所定の入力を受け付けた場合には、
前記入力を受け付けた点の属する前記第１種のラップ区間の開始点から前記入力を受け付けた点までのラップ情報と、
現在点の属する前記第２種のラップ区間の開始点から前記入力を受け付けた点までのラップ情報と、
を出力させる、
パフォーマンスモニタリングプログラム。
【発明の詳細な説明】
【技術分野】
【０００１】
本発明は、パフォーマンスモニタリング装置、パフォーマンスモニタリング方法、及びパフォーマンスモニタリングプログラムに関する。
【背景技術】
【０００２】
特許文献１には、区間距離条件を前もって設定しておき、計測したラップタイムと設定された距離条件とを元に、次のラップタイム及び走行積算距離を推定することによって、１台で複数の区間距離条件の要求に対応することが可能なストップウォッチが開示されている。
【先行技術文献】
【特許文献】
【０００３】
【特許文献１】特開平７−２６０９５７号公報
【発明の概要】
【発明が解決しようとする課題】
【０００４】
しかし、このストップウォッチのユーザーは、ランナーの走行距離が所定の距離に達したタイミングでスイッチを操作する必要があるので、ストップウォッチの操作をランナー自身が行おうとした場合には、スイッチ操作に気をとられてランニングに集中できないという問題があった。
【０００５】
本発明は、以上のような問題点に鑑みてなされたものであり、本発明のいくつかの態様は、ユーザー（パフォーマンスモニタリングの対象となるユーザー）にとって使い勝手の良いパフォーマンスモニタリング装置、パフォーマンスモニタリング方法、及びパフォーマンスモニタリングプログラムを提供する。
【課題を解決するための手段】
【０００６】
本発明は前述の課題の少なくとも一部を解決するためになされたものであり、以下の態様又は適用例として実現することが可能である。
【０００７】
［適用例１］
本適用例に係るパフォーマンスモニタリング装置は、ユーザーの移動時間及び移動距離に関する計測を行う計測部と、前記計測部の出力に基づいて、前記ユーザーが移動するルートの一部である第１の区間における第１のラップ情報を、前記ユーザーが前記ルートを移動している期間内に出力することと、前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、を実行するプロセッサーと、を含むウェアラブルなパフォーマンスモニタリング装置である。
【０００８】
本適用例に係るパフォーマンスモニタリング装置において、計測部は、ユーザーの移動時間及び移動距離に関する計測を行い、プロセッサーは、開始点が共通する第１の区間のラップ情報と第２の区間のラップ情報とを、ユーザーの移動中に出力する。よって、ユーザーは、例えばプロセッサーからの出力が移動中に通知された場合には、互いに重複した、長さが異なる２通りの区間における自分のパフォーマンスを、移動中に把握することができる。また、プロセッサーは計測部の出力に基づいて、２通りの区間のラップ情報を出
力する。このため、本適用例に係るパフォーマンスモニタリング装置によれば、移動中のユーザーが装置の操作などをせずとも２通りの区間のラップ情報を得ることができるので、ユーザーにとって使い勝手が良い。
【０００９】
［適用例２］
本適用例に係るパフォーマンスモニタリング装置において、前記第１の区間は、距離の区間であり、前記第２の区間は、距離の区間であり、前記第１のラップ情報には、前記ユーザーの移動時間の情報及び移動速度の情報の少なくとも一方が含まれ、前記第２のラップ情報には、前記ユーザーの移動時間の情報及び移動速度の情報の少なくとも一方が含まれてもよい。
【００１０】
本適用例に係るパフォーマンスモニタリング装置によれば、２通りの距離の区間についてのラップ情報を移動中に出力することができる。
【００１１】
［適用例３］
本適用例に係るパフォーマンスモニタリング装置において、前記第１の区間は、時間の区間であり、前記第２の区間は、時間の区間であり、前記第１のラップ情報には、前記ユーザーの移動距離の情報及び移動速度の情報の少なくとも一方が含まれ、前記第２のラップ情報には、前記ユーザーの移動距離の情報及び移動速度の情報の少なくとも一方が含まれてもよい。
【００１２】
従って、本適用例に係るパフォーマンスモニタリング装置によれば、２通りの時間の区間についてのラップ情報を移動中に出力することができる。
【００１３】
［適用例４］
本適用例に係るパフォーマンスモニタリング装置において、前記第１の区間は、時間の区間であり、前記第２の区間は、距離の区間であり、前記第１のラップ情報には、前記ユーザーの移動距離の情報及び移動速度の情報の少なくとも一方が含まれ、前記第２のラップ情報には、前記ユーザーの移動時間の情報及び移動速度の情報の少なくとも一方が含まれてもよい。
【００１４】
従って、本適用例に係るパフォーマンスモニタリング装置によれば、距離の区間と時間の区間との各々についてのラップ情報を移動中に出力することができる。
【００１５】
［適用例５］
本適用例に係るパフォーマンスモニタリング装置において、前記プロセッサーは、前記計測部の出力に基づいて、前記ルートの開始点から現在点に至る経過情報を更に出力してもよい。
【００１６】
従って、本適用例に係るパフォーマンスモニタリング装置によれば、２通りの区間についてのラップ情報に加えて経過情報を移動中に出力することができる。
【００１７】
［適用例６］
本適用例に係るパフォーマンスモニタリング装置において、前記経過情報には、前記ユーザーの累積移動時間の情報、累積移動距離の情報、及び平均移動速度の情報のうち少なくとも一つが含まれてもよい。
【００１８】
従って、本適用例に係るパフォーマンスモニタリング装置によれば、前記ユーザーの累積移動時間の情報、累積移動距離の情報、及び平均移動速度の情報のうち少なくとも一つを移動中に出力することができる。
【００１９】
［適用例７］
本適用例に係るパフォーマンスモニタリング装置において、前記プロセッサーは、前記第１のラップ情報と前記第２のラップ情報とを区別して出力してもよい。
【００２０】
従って、例えば、出力された情報がユーザーに通知された場合には、出力されるラップ情報が第１の区間についてのラップ情報であるのか第２の区間についてのラップ情報であるのかをユーザーが容易に識別できる。
【００２１】
［適用例８］
本適用例に係るパフォーマンスモニタリング装置において、前記第１の区間は、第１の長さを有する複数の第１種のラップ区間のうち、前記ルートにおける１番目の区間であり、前記第２の区間は、前記第１の長さとは異なる第２の長さを有する複数の第２種のラップ区間のうち、前記ルートにおける１番目の区間であり、前記プロセッサーは、前記第１種のラップ区間の各々について前記第１のラップ情報の出力を行い、前記第２種のラップ区間の各々について前記第２のラップ情報の出力を行ってもよい。
【００２２】
従って、本適用例に係るパフォーマンスモニタリング装置によれば、連続する複数の第１種のラップ区間のラップ情報と、連続する複数の第２種のラップ区間のラップ情報とを、移動中に出力することができる。
【００２３】
［適用例９］
本適用例に係るパフォーマンスモニタリング装置において、前記プロセッサーは、前記コースを移動している期間内に所定の入力を受け付けた場合には、前記入力を受け付けた点の属する前記第１種のラップ区間の開始点から前記入力を受け付けた点までのラップ情報と、現在点の属する前記第２種のラップ区間の開始点から前記入力を受け付けた点までのラップ情報と、を出力してもよい。
【００２４】
本適用例に係るパフォーマンスモニタリング装置は、所定の入力を受け付けた場合に、第１種のラップ区間の開始点から入力を受け付けた点までのラップ情報と、第２種のラップ区間の開始点から入力を受け付けた点までのラップ情報との２通りのラップ情報を出力できる。
【００２５】
［適用例１０］
本適用例に係るパフォーマンスモニタリング装置において、前記プロセッサーは、前記入力を受け付けた点を開始点とする前記第１のラップ情報と、前記入力を受け付けた点を開始点とする前記第２のラップ情報と、を出力してもよい。
【００２６】
従って、本適用例に係るパフォーマンスモニタリング装置は、入力を受け付けた点をそれぞれ開始点とする、第１のラップ情報および第２のラップ情報を出力することができる
［適用例１１］
本適用例に係るパフォーマンスモニタリング装置において、前記プロセッサーは、前記入力を受け付けた点から、前記入力を受け付けた点を含む前記第１種のラップ区間の終了点までのラップ情報と、前記入力を受け付けた点から、前記入力を受け付けた点を含む前記第２種のラップ区間の終了点までのラップ情報と、を出力してもよい。
【００２７】
従って、本適用例に係るパフォーマンスモニタリング装置は、入力を受け付けた点から第１種のラップ区間の終了点までのラップ情報と、入力を受け付けた点から第２種のラップ区間の終了点までのラップ情報とを、それぞれ出力することができる。
【００２８】
［適用例１２］
本適用例に係るパフォーマンスモニタリング装置は、前記ユーザーが腕又は手首に装着可能なパフォーマンスモニタリング装置であってもよい。
【００２９】
従って、ユーザーは、パフォーマンスモニタリング装置を腕時計と同様の感覚で使用することができる。
【００３０】
［適用例１３］
本適用例に係るパフォーマンスモニタリング方法は、ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、を含む。
【００３１】
本適用例に係るパフォーマンスモニタリング方法では、ユーザーの移動時間及び移動距離に関する計測を行う計測部の出力に基づいて、開始点が共通する第１の区間のラップ情報と第２の区間のラップ情報とを、ユーザーの移動中に出力する。よって、ユーザーは、例えばパフォーマンスモニタリング方法による出力が移動中に通知された場合には、互いに重複した、長さが異なる２通りの区間における自分のパフォーマンスを、移動中に把握することができる。また、パフォーマンスモニタリング方法では、計測部の出力に基づいて、２通りの区間のラップ情報を出力する。このため、本適用例に係るパフォーマンスモニタリング方法によれば、移動中のユーザーが装置の操作などをせずとも２通りの区間のラップ情報を得ることができる。
【００３２】
［適用例１４］
本適用例に係るパフォーマンスモニタリングプログラムは、ユーザーの移動時間及び移動距離に関する計測を行う計測部の出力に基づいて、前記ユーザーが移動するルートの一部である第１の区間における第１のラップ情報を、前記ユーザーが前記ルートを移動している期間内に出力することと、前記計測部の出力に基づいて、前記ルートの一部であって、前記第１の区間と開始点が共通し、かつ前記第１の区間とは異なる第２の区間における第２のラップ情報を、前記ユーザーが前記ルートを移動している期間内に出力することと、をコンピューターに実行させる。
【００３３】
本適用例に係るパフォーマンスモニタリングプログラムは、ユーザーの移動時間及び移動距離に関する計測を行う計測部の出力に基づいて、開始点が共通する第１の区間のラップ情報と第２の区間のラップ情報とを、ユーザーの移動中に出力する。よって、ユーザーは、例えばパフォーマンスモニタリングプログラムからの出力が移動中に通知された場合には、互いに重複した、長さが異なる２通りの区間における自分のパフォーマンスを、移動中に把握することができる。また、パフォーマンスモニタリングプログラムでは、計測部の出力に基づいて、２通りの区間のラップ情報を出力する。このため、本適用例に係るパフォーマンスモニタリングプログラムによれば、移動中のユーザーが装置の操作などをせずとも２通りの区間のラップ情報を得ることができる。
【図面の簡単な説明】
【００３４】
【図１】第１実施形態における電子機器１の概要を説明するための図である。
【図２】電子機器を含むシステムの構成例を説明するための機能ブロック図である。
【図３】電子機器１との間におけるデータ転送に関する情報端末２の処理例を説明するためのフローチャートである。
【図４】サーバー４との間における情報通信に関する情報端末２の処理例を説明するためのフローチャートである。
【図５】オートラップ機能に関する設定画面の遷移例を示す図である。
【図６】オートラップ機能におけるラップ区切りの地点を説明する図である。
【図７】ラップ情報の表示画面の一例を説明する図である。
【図８】電子機器１によるパフォーマンス計測（オートラップ機能オン）の処理例のフローチャートである。
【図９】オートラップ機能におけるラップ区切りのタイミングの変形例を説明する図である。
【図１０】変形例におけるフローチャートである。
【図１１】情報端末２に表示されるユーザーパフォーマンスデータの一例である。
【発明を実施するための形態】
【００３５】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００３６】
１．電子機器の実施形態
１−１．電子機器の概要
図１は、第１実施形態における電子機器の概要を説明するための図である。
【００３７】
図１に示すように、本実施形態における電子機器１（パフォーマンスモニタリング装置の一例）は、ユーザーの身体の一部へ装着されるウェアラブルな携帯情報機器である。必要なときにユーザーが目視できるよう、電子機器１の装着先は、例えば、肘から手に至る部位（前腕）である。
【００３８】
図１に示す例では、電子機器１はリスト型（腕時計型）の携帯情報機器として構成され、ユーザーの手首へ装着するための装着具であるベルト１Ｂを有している。また、電子機器１の表示部１７０の外縁部には、例えばメカスイッチで構成された４つの操作ボタン１５０Ｂ、１５０Ａ、１５０Ｃ、１５０Ｄが設けられている。
【００３９】
ここで、表示部１７０の中央を基準とした各方向を、表示部１７０を１２時制針式時計の文字盤であると仮定した場合の時刻で表現するならば、図１において、表示部１７０における操作ボタン１５０Ｂの位置は、表示部１７０の１０時の位置であり、操作ボタン１５０Ａの位置は、表示部１７０の８時の位置であり、操作ボタン１５０Ｃの位置は、表示部１７０の２時の位置であり、操作ボタン１５０Ｄの位置は、表示部１７０の４時の位置である。なお、表示部１７０の形状は図１に示した円盤状に限定されることはなく、表示部１７０における操作ボタン１５０Ｂ〜１５０Ｄの位置および個数は図１に示したものに限定されることはない。
【００４０】
さて、図１では、電子機器１が時刻表示モードにあるときの様子を示している。時刻表示モードにおける表示部１７０には、例えば、現在の日時、曜日、午前午後の別などが数値イメージとして表示される。
【００４１】
操作ボタン１５０Ａには、電子機器１のモード切り替えの指示をユーザーが電子機器１へ入力するための機能が割り付けられている。但し、電子機器１がメニュー表示モードにあるとき（メニュー画面が表示されている期間中）は、ユーザーが決定指示（設定指示）を電子機器１へ入力するための機能が操作ボタン１５０Ａに割り付けられる。
【００４２】
操作ボタン１５０Ｂには、例えば、ライト点灯指示及び消灯指示をユーザーが電子機器１へ入力するための機能が割り付けられている。
【００４３】
操作ボタン１５０Ｃには、ユーザーがパフォーマンス計測（スプリットタイムの計測、オートラップ機能などを含む。）の計測開始指示及び計測終了指示を電子機器１へ入力するための機能が割り付けられている。また、電子機器１がメニュー表示モードにあるとき（メニュー画面が表示されている期間中）は、メニュー画面におけるカーソルの上方向への移動指示を電子機器１へ入力するための機能が操作ボタン１５０Ｃに割り付けられる。
【００４４】
操作ボタン１５０Ｄには、メニュー画面の呼び出し指示を電子機器１へ入力するための機能が割り付けられている。但し、パフォーマンス計測中には、ユーザーがラップの記録指示（手動によるラップ区切りの指示）を電子機器１へ入力するための機能が操作ボタン１５０Ｄに割り付けられる。電子機器１がメニュー表示モードにあるとき（メニュー画面が表示されている期間中）は、カーソルの下方向への移動指示を電子機器１へ入力するための機能が操作ボタン１５０Ｄに割り付けられる。
【００４５】
以上の電子機器１は、時計として動作する他、パフォーマンス計測装置として動作する。パフォーマンス計測装置としての電子機器１は、各種のセンシング機能を活用してユーザーパフォーマンスデータを取得（パフォーマンス計測）する。以下、以下、ユーザーがランナーであって、ランニングに有用なユーザーパフォーマンスデータが取得される場合を例に挙げる。
【００４６】
ユーザーパフォーマンスデータには、例えば、走行コースにおけるユーザーの運動に関する経過情報と、走行コースの区間ごとのユーザーの運動に関するラップ情報とが含まれる。
【００４７】
ここで、本明細書において、「ルート」は、ユーザーが移動するルートのことであって、計測開始時点から計測終了時点までの期間、又は計測開始地点から計測終了地点までの道のりのことを指す。ルートは、事前に予定または計画されたものであっても、ユーザーが移動中に任意に選択または変更するものであってもよい。なお、以下においては、ランニングを行うルート、の意味で「走行ルート」という表現を使用する場合がある。
【００４８】
「経過情報」は、走行コースの開始点（開始地点又は開始時点）から現在点（現在地点又は現在時点）に至る区間におけるユーザーパフォーマンスデータのことである。経過情報には、例えば、当該区間の累積走行距離（累積移動距離の一例。）、当該区間の累積走行時間（累積移動時間の一例。スプリットタイム。）、当該区間の平均走行速度（平均移動速度の一例。）、当該区間の平均心拍数などが含まれる。なお、計測を終了した場合には、開始点から計測終了点（計測終了時点又は計測終了地点）までのパフォーマンスデータを「経過情報」としてもよい。
【００４９】
「ラップ情報」は、走行コースを所定時間又は所定距離で区切ってできる区間（以下、ラップ区間という。）におけるユーザーパフォーマンスデータのことである。ラップ区間が距離の区間である場合、ラップ情報には、ラップ区間の走行時間（移動時間の一例である。以下、「ラップタイム」という。）、ラップ区間の平均走行速度（ラップペース）、ラップ区間の平均心拍数（ラップ心拍数）などが含まれる。また、ラップ区間が時間の区間である場合、ラップ情報には、ラップ区間の走行距離（移動距離の一例である。以下、「ラップ距離」という。）、ラップ区間の平均走行速度（移動速度の一例である。以下、「ラップペース」という。）、ラップ区間の平均心拍数（ラップ心拍数）などが含まれる。
【００５０】
なお、ラップ区間の長さは、走行ルートの全長（または全所要時間）よりも短い。また、走行ルートにおける最後のラップ区間は、予め設定した長さにならないことがある。その場合は、電子機器１は、終了指示があった時点（地点）までの区間のラップ情報を通知するか、最後の区間のラップ情報を通知しないこととしてもよい。
【００５１】
なお、ユーザーパフォーマンスデータの生成（計測）には、後述する脈センサー、加速度センサー、角速度センサー、ＧＰＳセンサー（GPS：Global Positioning System）、地磁気センサー、気圧センサーなどが用いられる。なお、ユーザーパフォーマンスデータの生成（計測）には、他のセンサーを組み合わせてもよいし、一部のセンサーを用いなくてもよい。また、「脈拍」は、心臓が全身に血液を送り出す拍動（心拍）の変化が身体の各部における動脈に伝わった脈動のことである。以下の説明で「脈拍」又は「脈」と記載する箇所は、技術的に置換可能な範囲において、適宜「心拍」と読み替えることが可能であるとする。
【００５２】
そして、電子機器１は、各種のユーザーパフォーマンスデータについてロギングを行う。ここで、「ロギング」とは、ユーザーパフォーマンスデータを記録することを指す。また、「パフォーマンスデータのロギング」とは、パフォーマンスデータの履歴を記録すること（つまりデータを時系列または個々のデータが特定可能な形で記録すること）を指す。
【００５３】
１−２．ユーザー動作の概要
事前準備では、ユーザーは、電子機器１の表示部１７０にメニュー画面を表示させ、身長、体重、年齢、性別、体脂肪率など、自分の身体に関するデータ（ユーザー身体データ）の入力を行う。また、ユーザーは、メニュー画面において、オートラップ機能に関する設定（ラップ区間についての第１設定及び第２設定）を行い、電子機器１を時刻表示モードに戻す。なお、ユーザーは、身体データと共に目標データを入力してもよい。
【００５４】
その後、ユーザーは、例えば、電子機器１を腕に装着した状態で、走行コースの開始点（ハーフマラソンやフルマラソンなどのスタート地点）に立ち、スタートのタイミング（ユーザーが走行を開始したタイミング、スタート合図のタイミング等）で電子機器１の操作ボタン１５０Ｃを押下し、パフォーマンス計測を電子機器１に開始させ、走行を開始する。その後、電子機器１は、基本的には、例えば、通常計測画面を継続して表示し、ラップ区間の区切りのタイミングが到来したタイミングで、最新のラップ区間のラップ情報（ラップタイム、ラップペース、ラップ心拍数など）を、音、振動、画像、光、色、又はそれらの組み合わせなどでユーザーに通知する。
【００５５】
その後、ユーザーは、走行コースの終了点（ハーフマラソンやフルマラソンなどのゴール地点）に到達すると、電子機器１の操作ボタン１５０Ｃを押下し、パフォーマンス計測を電子機器１に終了させる。これによって、電子機器１は時刻表示モードに戻る。
【００５６】
その後、ユーザーは、スマートフォン、タブレットＰＣ（PC: personal computer）、デスクトップＰＣ等の情報端末へ近距離無線通信などを介して電子機器１を接続することで、電子機器１に蓄積されたログデータ（ユーザーパフォーマンスデータ）、ユーザー身体データを、情報端末へ転送することができる。
【００５７】
また、ユーザーは、情報端末をインターネットなどのネットワークを介してサーバー４（後述）へ接続することで、ユーザーパフォーマンスデータ、ユーザー身体データをサーバー４へアップロードし、サーバー４へ保管させることもできる。
【００５８】
また、ユーザーは、所望のタイミングで情報端末をインターネットなどのネットワーク
を介してサーバー４へ接続することで、自分のユーザーパフォーマンスデータを情報端末にて確認することができる。また、ユーザーは、所望のタイミングで情報端末をインターネットなどのネットワークを介してサーバー４へ接続することで、サーバー４から各種の付随情報（アプリケーションソフトウエアプログラム、ユーザーの走行経路を示す地図データなど）の提供を受けることもできる。
【００５９】
なお、ユーザーは、予め、例えば情報端末をインターネットなどのネットワークを介してサーバー４へ接続し、電子機器１のＩＤ（識別情報）、ユーザーのＩＤ（識別情報）などの登録情報をサーバー４へ送信することにより、サーバー４に対するユーザー登録を完了させたものと仮定する。登録後、ユーザーは、ユーザーパフォーマンスデータを保管するサービスの提供及び前述した付随情報（アプリケーションソフトウエアプログラム、地図データなど）の提供をサーバー４から受けることが可能となる。
【００６０】
１−３．電子機器等の構成
図２は、電子機器を含むシステムの構成を説明するための機能ブロック図である。
【００６１】
本実施形態のシステムには、電子機器１と情報端末２とサーバー４とが含まれ、情報端末２とサーバー４とはインターネットなどのネットワーク３を介して接続される。また、電子機器１と情報端末２とは例えば近距離無線通信などを介して通信することが可能である。
【００６２】
図２に示すように、電子機器１は、ＧＰＳセンサー１１０、地磁気センサー１１１、気圧センサー１１２、加速度センサー１１３、角速度センサー１１４、脈センサー１１５、温度センサー１１６、処理部１２０、記憶部１３０、操作部１５０、計時部１６０、表示部１７０、音出力部１８０、通信部１９０などを含んで構成される。但し、電子機器１の構成は、これらの構成要素の一部を削除又は変更し、或いは他の構成要素（例えば、湿度センサー、紫外線センサーなど）を追加したものであってもよい。ＧＰＳセンサー１１０、地磁気センサー１１１、気圧センサー１１２、加速度センサー１１３、角速度センサー１１４、脈センサー１１５、温度センサー１１６、計時部１６０は、計測部の一例であり、処理部１２０は、プロセッサーの一例である。また、表示部１７０、音出力部１８０などは、ユーザーへ情報を通知する通知装置（出力装置）の一例である。
【００６３】
ＧＰＳセンサー１１０は、電子機器１の位置などを示す測位データ（緯度、経度、高度、速度ベクトルなどのデータ）を生成して処理部１２０へ出力するセンサーであって、例えばＧＰＳ受信機（GPS: Global Positioning System）等を含んで構成される。ＧＰＳセンサー１１０は、外部から到来する所定周波数帯域の電磁波を不図示のＧＰＳアンテナで受信し、ＧＰＳ衛星からのＧＰＳ信号を抽出すると共に、当該ＧＰＳ信号に基づき電子機器１の位置などを示す測位データを生成する。
【００６４】
地磁気センサー１１１は、電子機器１から見た地球の磁場の方向を示す地磁気ベクトルを検出するセンサーであって、例えば、互いに直交する３つの軸方向の磁束密度を示す地磁気データを生成する。地磁気センサー１１１には、例えば、ＭＲ（Magnet resistive）素子、ＭＩ（Magnet impedance）素子、ホール素子などが用いられる。
【００６５】
気圧センサー１１２は、周辺の気圧（大気圧）を検出するセンサーであって、例えば、振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、ＡＴ振動子（厚みすべり振動子）、ＳＡＷ共振子などが適用される。なお、気圧センサー１１２の出力は、測位データを補正するために使用されてもよい。
【００６６】
加速度センサー１１３は、互いに交差する（理想的には直交する）３軸方向の各々の加速度を検出し、検出した３軸加速度の大きさ及び向きに応じたデジタル信号（加速度データ）を出力する慣性センサーである。なお、加速度センサー１１３の出力は、ＧＰＳセンサー１１０の測位データに含まれる位置の情報を補正するために使用されてもよい。
【００６７】
角速度センサー１１４は、互いに交差する（理想的には直交する）３軸方向の各々の角速度を検出し、計測した３軸角速度の大きさ及び向きに応じたデジタル信号（角速度データ）を出力する慣性センサーである。なお、角速度センサー１１４の出力は、ＧＰＳセンサー１１０の測位データに含まれる位置の情報を補正するために使用されてもよい。
【００６８】
脈センサー１１５は、ユーザーの脈拍を示す信号を生成して処理部１２０へ出力するセンサーであって、例えば、適当な波長を有した計測光を皮下の血管に向けて照射するＬＥＤ光源（LED: Light Emitting Diode）などの光源と、当該計測光に応じて血管で発生した光の強度変化を検出する受光素子とを有している。なお、光の強度変化波形（脈波）を周波数解析など公知の手法により処理することで、脈拍数（１分間当たりの脈拍数）を計測することができる。なお、脈センサー１１５としては、光源及び受光素子からなる光電センサーに代えて、超音波により血管の収縮を検出して脈拍数を計測する超音波センサーを採用してもよく、電極から微弱電流を体内に流して脈拍数を計測するセンサー等を採用してもよい。
【００６９】
温度センサー１１６は、周辺の温度に応じた信号（例えば、温度に応じた電圧）を出力する感温素子である。なお、温度センサー１１６は、温度に応じたデジタル信号を出力するものであってもよい。
【００７０】
処理部１２０は、例えば、ＭＰＵ（Micro Processing Unit）、ＤＳＰ（Digital Signal Processor）、ＡＳＩＣ（Application Specific Integrated Circuit）等により構成される。処理部１２０は、記憶部１３０に格納されたプログラム（パフォーマンスモニタリングプログラムの一例）と、操作部１５０を介してユーザーが入力した各種のコマンドとに従い各種の処理（パフォーマンスモニタリング方法の一例）を行う。処理部１２０による処理には、ＧＰＳセンサー１１０、地磁気センサー１１１、気圧センサー１１２、加速度センサー１１３、角速度センサー１１４、脈センサー１１５、温度センサー１１６、計時部１６０などが生成するデータへのデータ処理、表示部１７０へ画像を表示させる表示処理、音出力部１８０に音を出力させる音出力処理などが含まれる。また、処理部１２０は、適宜、距離算出部１２１、タイム算出部１２２、ペース算出部１２３、心拍算出部１２４として機能する。なお、距離算出部１２１、タイム算出部１２２、ペース算出部１２３、心拍算出部１２４の詳細については後述する。また、例えば、処理部１２０は、後述するラップ情報を記憶部１３０へ出力する処理を実行する。また、例えば、処理部１２０は、ラップ情報をユーザーへ通知するための制御信号（ラップ情報を含む表示用データ）を表示部１７０へ出力する処理を実行する。また、例えば、処理部１２０は、ラップ情報をユーザーへ通知するための制御信号を音出力部１８０へ出力する処理を実行する。
【００７１】
記憶部１３０は、例えば１又は複数のＩＣメモリー(IC: Integrated Circuit)などにより構成され、プログラムなどのデータが記憶されるＲＯＭと、処理部１２０の作業領域となるＲＡＭとを有する。なお、ＲＡＭには不揮発性のＲＡＭも含まれ、不揮発性のＲＡＭには、ユーザーパフォーマンスデータ１３３、ユーザー身体データ１３４などの記憶領域が確保されている。
【００７２】
操作部１５０は、例えばボタン、キー、マイク、タッチパネル、音声認識機能（不図示のマイクロフォンを利用）、アクション検出機能（加速度センサー１１３などを利用）な
どで構成され、ユーザーからの指示を適当な信号に変換して処理部１２０へ送る処理を行う。前述した操作ボタン１５０Ｂ、１５０Ａ、１５０Ｃ、１５０Ｄは、この操作部１５０の少なくとも一部である。
【００７３】
計時部１６０は、例えば、リアルタイムクロック（ＲＴＣ：Real Time Clock）ＩＣなどにより構成され、年、月、日、時、分、秒等の時刻データを生成して処理部１２０に送る。
【００７４】
表示部１７０は、例えばＬＣＤ（Liquid Crystal Display）、有機ＥＬ（Electroluminescence）ディスプレイ、ＥＰＤ（Electrophoretic Display）、タッチパネル型ディスプレイ等で構成され、処理部１２０からの指示に従って各種の画像を表示する。
【００７５】
音出力部１８０は、例えばスピーカー、ブザー、バイブレーターなどで構成され、処理部１２０からの指示に従って各種の音（又は振動）を発生させる。
【００７６】
通信部１９０は、電子機器１と情報端末２との間のデータ通信を成立させるための各種制御を行う。通信部１９０は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【００７７】
情報端末２は、インターネットなどのネットワーク３に接続可能なスマートフォン、タブレットＰＣ（PC: personal computer）、デスクトップＰＣなどの情報端末であって、電子機器１の通信部１９０に対応した不図示の通信部を搭載している。また、情報端末２の記憶部（不図示）には、電子機器１を制御するためのプログラムなどがインストールされており、情報端末２は、少なくとも電子機器１に接続された際には、このプログラムに従って動作する。このプログラムは、例えば、インターネットなどのネットワーク３を介してサーバー４からダウンロードされたものである。
【００７８】
サーバー４は、インターネットなどのネットワーク３に接続されたサーバーである。サーバー４には、電子機器１のユーザーからアップロードされたデータなどをユーザーごとに管理する機能が搭載されている。また、サーバー４には、電子機器１のユーザーに向けてプログラムや地図データなどを提供する機能も搭載されている。
【００７９】
１−４．処理部の詳細
以下、処理部１２０における距離算出部１２１、タイム算出部１２２、ペース算出部１２３、心拍算出部１２４について順に説明する。なお、ユーザーパフォーマンスデータの生成に用いられるセンサーの組み合わせは一例であり、ユーザーパフォーマンスデータの算出には公知の何れかの組み合わせが採用可能である。
【００８０】
距離算出部１２１は、例えば、計時部１６０の出力と、ＧＰＳセンサー１１０の出力とに基づき、走行コースの開始時点から現在時点までの期間内におけるユーザーの累積走行距離を算出する。
【００８１】
また、距離算出部１２１は、ラップ区間として「時間のラップ区間」が設定されている場合には、例えば、計時部１６０の出力と、ＧＰＳセンサー１１０の出力とに基づき、ラップ区間の開始時点から終了時点までの期間内におけるユーザーが移動距離を、当該ラップ区間のラップ距離として算出する。
【００８２】
なお、距離算出部１２１が算出した累積走行距離、ラップ距離は、記憶部１３０のユー
ザーパフォーマンスデータ１３３へ書き込まれる。
【００８３】
また、距離算出部１２１は、加速度センサー１１３の出力と、角速度センサー１１４の出力と、ユーザー身体データ１３４と、地磁気センサー１１１の出力と、気圧センサー１１２の出力との少なくとも１つを用いることで、距離の算出精度を向上させることもできる。
【００８４】
タイム算出部１２２は、例えば、計時部１６０の出力に基づき、走行コースの開始時点から現在時点までの経過時間を、ユーザーのスプリットタイムとして算出する。
【００８５】
また、タイム算出部１２２は、ラップ区間として「距離のラップ区間」が設定されている場合には、例えば、計時部１６０の出力と、ＧＰＳセンサー１１０の出力とに基づき、ラップ区間の開始地点から終了地点までの経路におけるユーザーの移動時間を、当該ラップ区間のラップタイムとして算出する。
【００８６】
なお、距離算出部１２１が算出したスプリットタイム、ラップタイムは、記憶部１３０のユーザーパフォーマンスデータ１３３へ書き込まれる。
【００８７】
また、タイム算出部１２２は、加速度センサー１１３の出力と、角速度センサー１１４の出力と、ユーザー身体データ１３４と、地磁気センサー１１１の出力と、気圧センサー１１２の出力との少なくとも１つを用いることで、タイムの算出精度を向上させることもできる。
【００８８】
ペース算出部１２３は、例えば、計時部１６０の出力と、ＧＰＳセンサー１１０の出力とに基づき、走行コースの開始地点から現在地点までにおけるユーザーの平均走行速度を、ユーザーの平均ペースとして算出する。
【００８９】
また、ペース算出部１２３は、ラップ区間として「時間のラップ区間」が設定されている場合には、例えば、計時部１６０の出力と、ＧＰＳセンサー１１０の出力とに基づき、ラップ区間の開始時点から終了時点までの期間内におけるユーザーの平均走行速度をラップペースとして算出する。
【００９０】
また、ペース算出部１２３は、ラップ区間として「距離のラップ区間」が設定されている場合には、例えば、計時部１６０の出力と、ＧＰＳセンサー１１０の出力とに基づき、ラップ区間の開始地点から終了地点までの経路におけるユーザーの平均走行速度をラップペースとして算出する。
【００９１】
心拍算出部１２４は、例えば、計時部１６０の出力と、脈センサー１１５の出力とに基づき、走行コースの開始時点から現在時点までのユーザーの単位時間当たりの平均心拍数を算出する。
【００９２】
また、心拍算出部１２４は、ラップ区間として「時間のラップ区間」が設定されている場合には、例えば、計時部１６０の出力と、脈センサー１１５の出力とに基づき、ラップ区間の開始時点から終了時点までの期間内におけるユーザーの平均心拍数をラップ心拍数として算出する。
【００９３】
また、心拍算出部１２４は、ラップ区間として「距離のラップ区間」が設定されている場合には、例えば、計時部１６０の出力と、脈センサー１１５の出力とに基づき、ラップ区間の開始地点から終了地点までの経路におけるユーザーの平均心拍数をラップ心拍数として算出する。
【００９４】
１−５．情報端末の処理
図３は、電子機器１との間におけるデータ転送に関する情報端末２の処理を説明するためのフローチャートである。以下、図３の各ステップを順に説明する。
【００９５】
ステップＳ１２０：情報端末２は、近距離無線通信を介して電子機器１と通信が可能であるか否かを判定し（Ｓ１２０）、接続されていると判定した場合（Ｓ１２０Ｙ）は次の処理（Ｓ１３０）を開始し、そうでない場合（Ｓ１２０Ｎ）には待機する。
【００９６】
ステップＳ１３０：情報端末２は、電子機器１の通信部１９０及び処理部１２０を介して電子機器１の記憶部１３０にアクセスし、記憶部１３０に格納されているユーザーパフォーマンスデータ１３３、ユーザー身体データ１３４を読み込み、フローを終了する（Ｓ１３０）。なお、電子機器１から情報端末２へのデータの送信（データ転送）は、所定のフォーマットで行われる。
【００９７】
図４は、サーバー４との間における情報通信に関する情報端末２の処理を説明するためのフローチャートである。以下、図４の各ステップを順に説明する。
【００９８】
ステップＳ２１０：情報端末２は、ネットワーク３を介してサーバー４にユーザーＩＤを送信する（Ｓ２１０）。
【００９９】
ステップＳ２３０：情報端末２は、ネットワーク３を介してサーバー４からアクセスの許可通知を受信したか否かを判定し（Ｓ２３０）、受信したと判定した場合（ユーザー認証が完了した場合）には（Ｓ２３０Ｙ）、次の処理（Ｓ２５０）を開始し、そうでない場合（Ｓ２３０Ｎ）には待機する。
【０１００】
ステップＳ２５０：情報端末２は、ユーザーパフォーマンスデータ、ユーザー身体データを、サーバー４へ送信し、フローを終了する（Ｓ２５０）。なお、情報端末２からサーバー４へのデータの送信（情報通信）は、所定のフォーマットで行われる。
【０１０１】
１−６．電子機器の処理
１−６．デュアルオートラップ機能について
本実施形態の電子機器１のユーザーは、オートラップ機能のラップ区間を複数通りに設定することができる。言い換えると、複数種類のラップ区間を設定することができる。以下、オートラップ機能のラップ区間の設定数が「２」（２種類）であると仮定する。「３」以上とすることも可能である。
【０１０２】
１−６−１．デュアルオートラップ機能の具体例（距離−距離）
例えば、ユーザーは、オートラップ機能のラップ区間の長さを「１ｋｍ区間」と「５ｋｍ区間」との２通りに設定することができる（設定方法は後述する。）。１ｋｍ区間及び５ｋｍ区間のうち一方は第１種のラップ区間の一例であり、他方は第２種のラップ区間の一例である。第１種のラップ区間の長さは第１の長さであり、第２種のラップ区間は、第１の長さとは異なる第２の長さを有する。また、走行ルートにおける最初の１ｋｍ区間及び最初の５ｋｍ区間の一方は、第１種のラップ区間の１番目の区間の一例であり、他方は、第２種のラップ区間の１番目の区間の一例である。
【０１０３】
この場合、処理部１２０は、パフォーマンス計測中に、ラップ区間を１ｋｍ区間としたオートラップ機能と、ラップ区間を５ｋｍ区間としたオートラップ機能との双方を、並行して電子機器１に発現させる（デュアルオートラップ機能）。
【０１０４】
ここで「オートラップ機能」とは、ユーザーの移動距離または移動時間が所定の長さに達する度に（つまり、ラップ区間の区切りにおいて）、最新区間のラップ情報（ラップタイム、ラップペース、ラップ心拍数などの少なくとも１つ）を自動的に計測または算出する機能のことである。「自動的」に、とは、例えば計測部の出力に基づいて、電子機器１が計測等を実行する状態を意味する。ユーザーが該当のタイミングにおいて特段の指示や入力を行わなくてもよい状態、と言い換えてもよい。計測または算出したラップ情報は、処理部１２０から出力されたり、ユーザーへ通知されたり、ユーザーパフォーマンスデータ１３３へ記録されたりしてもよい。
【０１０５】
例えば、本具体例においては、「ラップ区間を１ｋｍ区間としたオートラップ機能」は、ユーザーの走行距離が１ｋｍに達する度に、最新１ｋｍ区間のラップ情報（ラップタイム、ラップペース、ラップ心拍数などの少なくとも１つ）を計測または算出する。本具体例においては、計測または算出したラップ情報は、ユーザーへ通知され、かつ、ユーザーパフォーマンスデータ１３３へ記録される。なお、後述する図６（１）は「ラップ区間を１ｋｍ区間としたオートラップ機能」による区切りのタイミングを矢印で示したものである。
【０１０６】
また、例えば、本具体例においては、「ラップ区間を５ｋｍ区間としたオートラップ機能」とは、ユーザーの走行距離が５ｋｍに達する度に（つまり、ラップ区間の区切りにおいて）、最新５ｋｍ区間のラップ情報（ラップタイム、ラップペース、ラップ心拍数など）をユーザーへ通知し、かつ、当該ラップ情報をユーザーパフォーマンスデータ１３３へ記録する機能のことである（後述する図６（２）は「ラップ区間を５ｋｍ区間としたオートラップ機能」による区切りのタイミングを矢印で示したものである。）。
【０１０７】
なお、処理部１２０は、ラップ区間の区切りにおけるラップ情報の通知を、例えば一定時間（例えば２秒間）に亘って行う。ユーザーへの通知は、例えば、表示部１７０及び音出力部１８０の少なくとも一方へ処理部１２０が制御信号（ラップ情報に対応する信号）を出力することにより行われる。このとき、表示部１７０は、制御信号に応じてラップ情報を表示し、また、音出力部１８０は、制御信号に応じてラップ情報を読み上げる。以下、ユーザーへの通知を行うために、ラップ情報に対応する信号を処理部１２０が各種のデバイスへ出力することを、適宜「通知」という。
【０１０８】
また、処理部１２０は、ラップ情報の通知を表示によって行う場合は、ラップ区間の区切りが到来したことの通知を、例えば一定時間（例えば２秒間）に亘って行うことが望ましい。ユーザーへの通知は、音出力部１８０による音の出力、音出力部１８０による振動の発生、表示部１７０の輝度向上（バックライト点灯）などによって行われる。
【０１０９】
また、処理部１２０は、一方のラップ区間（１ｋｍ区間）の区切りにおける通知と、他方のラップ区間（５ｋｍ区間）の区切りにおける通知とを区別する。すなわち、２種類のラップ情報のいずれであるかを、ユーザーが認識できる態様で通知する。
【０１１０】
例えば、一方のラップ区間（１ｋｍ区間）の区切りにおける通知では、振動又点灯の回数を１とし、他方のラップ区間（５ｋｍ区間）の区切りにおける通知では、振動又は点灯の回数を２とする。
【０１１１】
また、例えば、一方のラップ区間（１ｋｍ区間）の区切りにおける通知では、振動又点灯の時間を所定時間とし、他方のラップ区間（５ｋｍ区間）の区切りにおける通知では、振動又は点灯の時間を前記所定時間よりも長くしてもよい。
【０１１２】
さらに、処理部１２０は、一方のラップ区間（１ｋｍ区間）の区切りと、他方のラップ
区間（５ｋｍ）の区切りとが重なった場合には（図６（１）の地点Ｐ（５）を参照）、一方のラップ区間（１ｋｍ区間）についてのラップ情報と他方のラップ区間（５ｋｍ区間）ラップ情報とを、区別して通知することが望ましい。例えば、処理部１２０は、一方のラップ区間（１ｋｍ区間）についてのラップ情報と、他方のラップ区間（５ｋｍ区間）についてのラップ情報とを、二段に分けて表示部１７０へ表示してもよい。
【０１１３】
図７（ａ）〜図７（ｆ）は、ラップ情報の表示画面の一例である。図７（ａ）は、１ｋｍ地点で表示される表示画面の例であり、図７（ｂ）は、２ｋｍ地点で表示される表示画面の例であり、図７（ｃ）は、５ｋｍ地点で表示される表示画面の例であり、図７（ｄ）は、６ｋｍ地点で表示される表示画面の例であり、図７（ｅ）は、１０ｋｍ地点で表示される表示画面の例であり、図７（ｆ）は、１１ｋｍ地点で表示される表示画面の例である。
【０１１４】
このうち、５ｋｍ地点は、一方のラップ区間（１ｋｍ区間）の区切りと他方のラップ区間（５ｋｍ区間）の区切りとが重なる地点であるので、５ｋｍ地点における表示画面（図７（ｃ））では、一方のラップ区間（１ｋｍ区間）のラップ情報と他方のラップ区間（５ｋｍ区間）のラップ情報とが二段に分けて同時に表示されている。
【０１１５】
同様に、１０ｋｍ地点も、一方のラップ区間（１ｋｍ区間）の区切りと他方のラップ区間（５ｋｍ区間）の区切りとが重なる地点であるので、１０ｋｍ地点における表示画面（図７（ｅ））では、一方のラップ区間（１ｋｍ区間）のラップ情報と、他方のラップ区間（５ｋｍ区間）のラップ情報とが二段に分けて同時に表示されている。
【０１１６】
なお、ここでは、一方のラップ区間（１ｋｍ区間）についてのラップ情報と他方のラップ区間（５ｋｍ区間）についてのラップ情報とを表示部１７０へ同時に表示したが、一方のラップ区間（１ｋｍ区間）についてのラップ情報と他方のラップ区間（５ｋｍ区間）についてのラップ情報とを、別のページとして表示部１７０へ表示してもよい。
【０１１７】
例えば、処理部１２０は、一方のラップ区間のラップ情報を優先的に表示部１７０へ表示し、他方のラップ区間についてのラップ情報を、所定の操作が行われたときにのみ表示してもよい。例えば、所定のボタン操作がされたときにページ送りをして、他方のラップ区間についてのラップ情報を表示してもよい。
【０１１８】
なお、ユーザーによる所定の操作は、ユーザーによる所定のジェスチャーでもよいし、表示部１７０へのタップ操作でもよいし、その他の操作であってもよい。なお、処理部１２０は、加速度センサー１１３、角速度センサー１１４、ＧＰＳセンサー１１０、地磁気センサー１１１、気圧センサー１１２のうち少なくとも１つの出力に基づきユーザーが所定のジェスチャーをしたか否かを検出することができる。
【０１１９】
また、電子機器１は、一方のラップ区間についての通知機能と、他方のラップ区間についての通知機能とを、それぞれユーザーが任意にオフできるようにしてもよい。
【０１２０】
また、電子機器１は、ラップ情報の表示部１７０への表示時間を一定期間のみに制限してもよいし、次のラップ区切りまでラップ情報の表示を継続してもよい（ラップ情報の常時表示）。
【０１２１】
また、電子機器１は、ラップ情報の表示部１７０への表示を継続させるか否かをユーザーに設定させてもよい。因みに、ラップ情報の表示を継続させない場合には、ラップ情報の表示が終了すると、表示部１７０には、通常計測画面が表示される。通常計測画面には、例えば、計測開始から現在地点（現在時点）までの経過情報（累積走行距離、累積走行
時間）や、現在地点（現在時点）におけるパフォーマンスデータ（現在の走行ペース、現在の心拍数など）が表示される（図７では不図示）。
【０１２２】
１−６−２．デュアルオートラップ機能の具体例（距離−時間）
例えば、ユーザーは、オートラップ機能のラップ区間を「１ｋｍ区間」と「１５分区間」との２通りに設定することができる。本具体例はラップ区間を決定するパラメータ（決定に用いるパフォーマンスデータ）が異なる、と言うことができる。
【０１２３】
この場合、処理部１２０は、パフォーマンス計測中に、ラップ区間を１ｋｍ区間としたオートラップ機能と、ラップ区間を１５分区間としたオートラップ機能との双方を、並行して電子機器１に発現させる（デュアルオートラップ機能）。
【０１２４】
ここで「ラップ区間を１ｋｍ区間としたオートラップ機能」とは、ユーザーの走行距離が１ｋｍに達する度に（つまり、ラップ区間の区切りにおいて）、最新１ｋｍ区間のラップ情報（ラップタイム、ラップペース、ラップ心拍数など）をユーザーへ通知し、かつ、当該ラップ情報をユーザーパフォーマンスデータ１３３へ記録する機能のことである。
【０１２５】
また、「ラップ区間を１５分区間としたオートラップ機能」とは、ユーザーの走行時間が１５分に達する度に（つまり、ラップ区間の区切りにおいて）、最新１５分区間のラップ情報（ラップ距離、ラップペース、ラップ心拍数など）をユーザーへ通知し、かつ、当該ラップ情報をユーザーパフォーマンスデータ１３３へ記録する機能のことである。
【０１２６】
なお、２通りのラップ区間のラップ情報の通知態様については、前述した通知態様の何れかを採用することができる。
【０１２７】
１−６−３．デュアルオートラップ機能の具体例（時間−時間）
例えば、ユーザーは、オートラップ機能のラップ区間を「１分区間」と「１５分区間」との２通りに設定することができる（設定方法は後述する。）。
【０１２８】
この場合、処理部１２０は、パフォーマンス計測中に、ラップ区間を１分区間としたオートラップ機能と、ラップ区間を１５分区間としたオートラップ機能との双方を、並行して電子機器１に発現させる（デュアルオートラップ機能）。
【０１２９】
ここで「ラップ区間を１分区間としたオートラップ機能」とは、ユーザーの走行時間が１分に達する度に（つまり、ラップ区間の区切りにおいて）、最新１分区間のラップ情報（ラップ距離、ラップペース、ラップ心拍数など）をユーザーへ通知し、かつ、当該ラップ情報をユーザーパフォーマンスデータ１３３へ記録する機能のことである。
【０１３０】
また、「ラップ区間を１５分区間としたオートラップ機能」とは、ユーザーの走行時間が１５分に達する度に（つまり、ラップ区間の区切りにおいて）、最新１５分区間のラップ情報（ラップ距離、ラップペース、ラップ心拍数など）をユーザーへ通知し、かつ、当該ラップ情報をユーザーパフォーマンスデータ１３３へ記録する機能のことである。
【０１３１】
なお、２通りのラップ区間のラップ情報の通知態様については、前述した通知態様の何れかを採用することができる。
【０１３２】
１−７．デュアルオートラップ機能のユーザー設定について
以下、２通りのラップ区間の一方についてのユーザー設定を「第１設定」と称し、他方についてのユーザー設定を「第２設定」と称し、ユーザーが第１設定を行うための電子機器１のモードを「第１設定モード」と称し、ユーザーが第２設定を行うための電子機器１
のモードを「第２設定モード」と称す。なお、ここでは、第１設定及び第２設定をユーザーが行う場合を説明するが、第２設定を「オフ」することも可能である。その場合、電子機器１にシングルオートラップ機能を発現させることができる。
【０１３３】
図５は、オートラップ機能に関する設定画面の遷移を示す図である。ここでは、オートラップ機能に関するユーザーの設定を、画面の遷移（図５（ａ）、図５（ｂ）、図５（ｃ）、図５（ｄ）、図５（ｅ）、図５（ｆ）、図５（ｇ）、図５（ｈ））に基づき説明する。なお、ここでは、ユーザー側から見た表示画面の遷移について説明するが、表示画面の切り替えは、基本的に処理部１２０の制御下で表示部１７０が行うものとする。
【０１３４】
図５（ａ）は、電子機器１が時刻表示モードにあるときに表示部１７０に表示される時刻表示画面である。時刻表示画面には、現在時刻（日時、曜日、午前午後の別などを含む）を示すイメージが配置される。なお、時刻表示画面には、現在時刻と共に現在の心拍数などのパフォーマンスデータが配置されてもよい。
【０１３５】
ユーザーは、電子機器１が時刻表示モード（図５（ａ））にあるときに、例えば、操作ボタン１５０Ｄを１回押下することにより、電子機器１をメニュー表示モード（図５（ｂ））に移行させることができる。
【０１３６】
図５（ｂ）は、電子機器１がメニュー表示モードにあるときに表示部１７０に表示されるメニュー画面である。メニュー画面には、設定対象となる各種の項目が表示される。表示される項目の１つに、「計測設定」の項目がある。
【０１３７】
ユーザーは、電子機器１がメニュー表示モードにあるときに、必要に応じて操作ボタン１５０Ｃ、１５０Ｄを操作して画面内のカーソルを「計測設定」の項目に位置させてから、操作ボタン１５０Ａを押下することにより、電子機器１を計測設定モード（図５（ｃ））に移行させることができる。
【０１３８】
図５（ｃ）は、電子機器１が計測設定モードにあるときに表示部１７０に表示される計測設定画面である。計測設定画面には、設定対象の候補である各種の計測項目が表示される。表示される計測項目の１つに、「オートラップ」の計測項目がある。
【０１３９】
ユーザーは、電子機器１が計測設定モードにあるときに、必要に応じて操作ボタン１５０Ｃ、１５０Ｄを操作して画面内のカーソルを「オートラップ」の計測項目に位置させてから、操作ボタン１５０Ａを押下することにより、電子機器１をオートラップ設定モード（図５（ｄ））に移行させることができる。
【０１４０】
図５（ｄ）は、電子機器１がオートラップ設定モードにあるときに表示部１７０に表示されるオートラップ設定画面である。オートラップ設定画面には、オートラップ機能をオンするための「オン」というテキストイメージと、オートラップ機能をオフするための「オフ」というテキストイメージとが表示される。
【０１４１】
ユーザーは、電子機器１がオートラップ設定モードにあるときに、必要に応じて操作ボタン１５０Ｃ、１５０Ｄを操作して画面内のカーソルを「オン」というテキストイメージに位置させてから、操作ボタン１５０Ａを押下する。これにより、オートラップ機能の発現指示を電子機器１へ入力すると共に、電子機器１を第１設定モード（図５（ｅ））に移行させることができる。なお、ユーザーが画面内のカーソルを「オフ」というテキストイメージに位置させてから、操作ボタン１５０Ａを押下した場合は、電子機器１を時刻表示モード（図５（ａ））に移行させることができる。
【０１４２】
図５（ｅ）は、電子機器１が第１設定モードにあるときに表示部１７０に表示される第１設定画面である。第１設定画面には、第１設定のラップ区間を距離の区間に設定するための「距離」というテキストイメージと、第１設定のラップ区間を時間の区間に設定するための「時間」というテキストイメージとが表示される。
【０１４３】
ユーザーは、電子機器１が第１設定モードにあるときに、必要に応じて操作ボタン１５０Ｃ、１５０Ｄを操作して画面内のカーソルを「距離」というテキストイメージに位置させてから、操作ボタン１５０Ａを押下する。これにより、第１設定のラップ区間を距離の区間に設定する指示を電子機器１へ入力すると共に、電子機器１を第１の区間長さ設定モード（図５（ｆ））に移行させることができる。なお、ユーザーは、カーソルを「時間」というテキストイメージに位置させてから、操作ボタン１５０Ａを押下することにより、第１設定のラップ区間を時間の区間に設定する指示を電子機器１へ入力すると共に、電子機器１を第１の区間長さ設定モードに移行させることができる。
【０１４４】
図５（ｆ）は、電子機器１が第１の区間長さ設定モードにあるときに表示部１７０に表示される第１の区間長さ設定画面である。第１の区間長さ設定画面には、第１設定で設定すべきラップ区間の長さの候補となる数値イメージが表示される。ここでは、第１設定のラップ区間が距離の区間に設定されたので、候補となる数値イメージには、距離の単位である「ｋｍ」が付与されている。なお、時間の区間に設定された場合は、候補となる数値イメージには時間の単位が付与される。
【０１４５】
ユーザーは、電子機器１が第１の区間長さ設定モードにあるときに、必要に応じて操作ボタン１５０Ｃ、１５０Ｄを操作して数値を上下させ、所望の数値を表示させてから、操作ボタン１５０Ａを押下することにより、第１設定のラップ区間の長さを当該所望の数値に設定するよう電子機器１へ指定すると共に、電子機器１を第２設定モード（図５（ｇ））へ移行させることができる。
【０１４６】
図５（ｇ）は、電子機器１が第２設定モードにあるときに表示部１７０に表示される第２設定画面である。第２設定画面には、第２設定のラップ区間を距離の区間に設定するための「距離」というテキストイメージと、第２設定のラップ区間を時間の区間に設定するための「時間」というテキストイメージとが表示される。
【０１４７】
ユーザーは、電子機器１が第２設定モードにあるときに、必要に応じて操作ボタン１５０Ｃ、１５０Ｄを操作して画面内のカーソルを「距離」というテキストイメージに位置させてから、操作ボタン１５０Ａを押下することにより、第２設定のラップ区間を距離の区間に設定する指示を電子機器１へ入力すると共に、電子機器１を第２の区間長さ設定モード（図５（ｈ））に移行させることができる（なお、カーソルを「時間」というテキストイメージに位置させてから、操作ボタン１５０Ａを押下することにより、第２設定のラップ区間を時間の区間に設定する指示を電子機器１へ入力すると共に、電子機器１を第２の区間長さ設定モードに移行させることができる）。
【０１４８】
図５（ｈ）は、電子機器１が第２の区間長さ設定モードにあるときに表示部１７０に表示される第２の区間長さ設定画面である。第２の区間長さ設定画面には、第２設定で設定すべきラップ区間の長さの候補となる数値イメージが表示される。ここでは、第２設定のラップ区間が距離の区間に設定されたので、候補となる数値イメージには、距離の単位である「ｋｍ」が付与されている（時間の区間に設定された場合は、候補となる数値イメージには時間の単位が付与される）。
【０１４９】
ユーザーは、電子機器１が第２の区間長さ設定モードにあるときに、必要に応じて操作ボタン１５０Ｃ、１５０Ｄを操作して数値を上下させ、所望の数値を表示させてから、操
作ボタン１５０Ａを押下することにより、第２設定のラップ区間の長さを当該所望の数値に設定するよう電子機器１へ指定すると共に、電子機器１を時刻表示モード（図５（ａ））へ移行させることができる。
【０１５０】
以下、図６（１），図６（２）に示すとおり、第１設定のラップ区間が１ｋｍ区間に設定され、第２設定のラップ区間が５ｋｍ区間に設定された場合（第１設定のラップ区間と第２設定のラップ区間との組み合わせが「距離−距離」の場合）を想定する。なお、第１設定のラップ区間と第２設定のラップ区間との組み合わせが「距離−時間」の場合、第１設定のラップ区間と第２設定のラップ区間との組み合わせが「時間−距離」の場合、第１設定のラップ区間と第２設定のラップ区間との組み合わせが「時間−時間」の場合は、ラップ区間の単位及び通知及び記録すべきラップ情報の単位が異なるだけであってフローの手順などは基本的に同じであるので説明を省略する。
【０１５１】
１−８．手動によるラップ区切り（マニュアルラップ）
本実施形態のユーザーは、オートラップ機能をオンした場合であっても、パフォーマンス計測中の所望のタイミングで手動によるラップ区切り（マニュアルラップ）をすることが可能である。ユーザーは、パフォーマンス計測中の所望のタイミングで操作ボタン１５０Ｄを押下すること（所定の操作の一例、所定の入力の一例）により、手動によるラップ区切りの指示の入力を電子機器１へ入力することができる。以下、手動によるラップ区切りが行われた場合における電子機器１の動作を説明する。
【０１５２】
図６（１）、図６（２）は、オートラップ機能におけるラップ区切りの地点を説明する図である。図６（１）の矢印は、第１設定によるラップ区切りの地点を示しており、図６（１）の横方向が距離を表している。図６（２）の矢印は、第２設定によるラップ区切りの地点を示しており、図６（２）の横方向が距離を表している。
【０１５３】
図６（１’）、図６（２’）は、手動によるラップ区切りが行われた場合におけるオートラップ機能を説明する図である。図６（１’）の矢印は、第１設定によるラップ区切りの地点を示しており、図６（１’）の横方向が距離を表している。図６（２’）の矢印は、第２設定によるラップ区切りの地点を示しており、図６（２’）の横方向が距離を表している。そして、図６（１’）、図６（２’）における太い矢印は、手動によるラップ区切りの地点Ｐｍを示している。
【０１５４】
先ず、本実施形態の処理部１２０は、パフォーマンス計測中に手動によるラップ区切りが行われると、手動によるラップ区切りが行われた地点Ｐｍの属する１ｋｍ区間を、当該地点Ｐｍを境として２つの小区間に分割する。
【０１５５】
例えば、手動によるラップ区切りの地点（入力を受け付けた点の一例）が３．５ｋｍ地点Ｐ（３．５）であったとすると、３ｋｍ地点Ｐ（３）から４ｋｍ地点Ｐ（４）までの１ｋｍ区間は、３ｋｍ地点Ｐ（３）から３．５ｋｍ地点Ｐ（３．５）までの０．５ｋｍ区間と、３．５ｋｍ地点Ｐ（３．５）から４ｋｍ地点Ｐ（４）（終了点の一例）までの０．５ｋｍ区間とに分割される。
【０１５６】
この場合、処理部１２０は、３．５ｋｍ地点Ｐ（３．５）においては、３ｋｍ地点Ｐ（３）から３．５ｋｍ地点Ｐ（３．５）までの０．５ｋｍ区間のラップ情報を通知及び記録し、４ｋｍ地点Ｐ（４）においては、３．５ｋｍ地点Ｐ（３．５）から４ｋｍ地点Ｐ（４）までの０．５ｋｍ区間のラップ情報を通知及び記録する。
【０１５７】
また、本実施形態の処理部１２０は、パフォーマンス計測中に手動によるラップ区切りが行われると、手動によるラップ区切りが行われた地点Ｐｍの属する５ｋｍ区間を、当該
地点Ｐｍを境として２つの小区間に分割する。
【０１５８】
例えば、手動によるラップ区切りの地点（入力を受け付けた点の一例）が３．５ｋｍ地点Ｐ（３．５）であったとすると、０ｋｍ地点Ｐ（０）から５ｋｍ地点Ｐ（５）までの５ｋｍ区間は、０ｋｍ地点Ｐ（０）から３．５ｋｍ地点Ｐ（３．５）までの３．５ｋｍ区間と、３．５ｋｍ地点Ｐ（３．５）から５ｋｍ地点Ｐ（５）（終了点の一例）までの１．５ｋｍ区間とに分割される。
【０１５９】
つまり、手動によるラップ区切りが行われた場合でも、手動によるラップ区切りが行われない場合と同じ地点（または時点、距離）においてオートラップのラップ区切りが行われる。手動によるラップ区切りが行われた場合でも、以降のラップ区切りの地点が一定（変更されない）ため、ユーザーにとってはラップ区切りの地点が予想しやすい。
【０１６０】
この場合、処理部１２０は、３．５ｋｍ地点Ｐ（３．５）においては、０ｋｍ地点Ｐ（０）から３．５ｋｍ地点Ｐ（３．５）までの３．５ｋｍ区間のラップ情報を通知及び記録し、５ｋｍ地点Ｐ（５）においては、３．５ｋｍ地点Ｐ（３．５）から５ｋｍ地点Ｐ（５）までの１．５ｋｍ区間のラップ情報を通知及び記録する。
【０１６１】
なお、手動によるラップ区切りが行われた場合の処理部１２０の動作は、上記したものに限定されることはない。手動によるラップ区切りが行われた場合における処理部１２０の他の動作の例は、後述する。
【０１６２】
１−９．パフォーマンス計測のフロー
図８は、電子機器１によるパフォーマンス計測（オートラップ機能オン）の処理のフローチャートである。ここでは、ユーザーが上述した第１設定及び第２設定により「１ｋｍ区間」及び「５ｋｍ区間」を設定したものと仮定する。以下、図８における各処理を順に説明する。なお、なお、第１設定のラップ区間と第２設定のラップ区間との組み合わせが「距離−時間」、「時間−距離」、「時間−時間」のいずれの場合にも以下は適用可能である。時間を含む場合には、以下において「地点」との記載を適宜「時点」と読み替えることができる。
【０１６３】
先ず、電子機器１の処理部１２０は、計測開始指示が入力されたか否かを判定し（Ｓ１１）、入力されない場合（Ｓ１１Ｎ）には待機する。
【０１６４】
その後、計測開始指示が入力されると（Ｓ１１Ｙ）、処理部１２０は、１ｋｍ区間の計測及び５ｋｍ区間の計測を開始する（Ｓ１３）。「１ｋｍ区間の計測」は、１ｋｍ区間の区切りにおいて通知又は記録すべきラップ情報（ラップタイム、ラップペース、ラップ心拍数など）を生成するための処理のことであり、「５ｋｍ区間の計測」は、５ｋｍ区間の区切りにおいて通知又は記録すべきラップ情報（ラップタイム、ラップペース、ラップ心拍数など）を生成するための処理のことである。
【０１６５】
次に、処理部１２０は、手動によるラップ区切りの指示が入力されたか否かを判定し（Ｓ１５）、入力されない場合（Ｓ１５Ｎ）は、手動によるラップ区切りに関する処理（Ｓ１７）をスキップする。
【０１６６】
次に、処理部１２０は、現在地点が１ｋｍ区間の区切りの地点に達したか否かを判定し（Ｓ１９）、達した場合には（Ｓ１９Ｙ）、最新１ｋｍ区間のラップタイム、ラップペース、ラップ心拍数などのラップ情報をユーザーへ通知すると共に（Ｓ２１）、記録する（Ｓ２３）。通知、記録の処理は、前述したとおりである。
【０１６７】
また、処理部１２０は、ステップＳ１９〜Ｓ２３の処理と前後して又は並行して、ステップＳ２５〜Ｓ２９の処理を実行する。
【０１６８】
すなわち、処理部１２０は、現在地点が５ｋｍ区間の区切りの地点に達したか否かを判定し（Ｓ２５）、達した場合には（Ｓ２５Ｙ）、最新５ｋｍ区間のラップタイム、ラップペース、ラップ心拍数などのラップ情報をユーザーへ通知すると共に（Ｓ２７）、記録する（Ｓ２９）。通知、記録の処理は、前述したとおりである。
【０１６９】
一方、処理部１２０は、手動によるラップ区切りの指示が入力された場合には（Ｓ１５Ｙ）、ラップ区切りの指示の入力を受け付けた点（すなわち、入力されたと判定したときの現在点）の属する区間（すなわち、現在の１ｋｍ区間、現在の５ｋｍ区間）を、当該地点で分割する（Ｓ１７）。分割する方法の詳細については、前述したとおりである（図６（１’），図６（２’））。
【０１７０】
また、分割により１ｋｍ区間の長さが一時的に１ｋｍより短くなるが、その場合であっても、処理部１２０は、区切りの地点に現在地点が達したタイミング（ステップＳ１９Ｙ）でラップ情報の通知、記録（Ｓ２１、Ｓ２３）の処理を実行する。
【０１７１】
また、分割により５ｋｍ区間の長さが一時的に５ｋｍより短くなるが、その場合であっても、処理部１２０は、区切りの地点に現在地点が達したタイミング（ステップＳ１９Ｙ）でラップ情報の通知、記録（Ｓ２１、Ｓ２３）の処理を実行する。
【０１７２】
また、処理部１２０は、計測終了指示が入力されたか否かを判定し（Ｓ３５）、入力されない限り（Ｓ３５Ｎ）、以上のステップＳ１５〜Ｓ２９を繰り返す。本例においては、計測を継続する場合、直前のラップ区間のラップ区切りの地点（ラップ区切りの点）は、そのラップ区間の終了点であり、かつ、次のラップ区間の開始点である。なお、同じ点のデータを連続するラップ区間で共有することは必須ではない。
【０１７３】
そして、処理部１２０は、計測終了指示が入力された場合（Ｓ３５Ｙ）に、フローを終了する。
【０１７４】
１−１０．実施形態の作用効果
以上説明したとおり、本実施形態の電子機器１は、ユーザーの走行時間に関する計測を行う計時部１６０と、ユーザー走行距離に関する計測を行うＧＰＳセンサー１１０と、処理部１２０とを含む。
【０１７５】
ここで、処理部１２０は、計時部１６０及びＧＰＳセンサー１１０の出力に基づいて、走行コースの一部である１ｋｍ区間（図６のラップ区間Ｐ（０）〜Ｐ（１））におけるラップ情報（ラップタイム、ラップペース、ラップ心拍数など）を、ユーザーが走行コースを走行している期間内に（当該１ｋｍ区間の終了地点Ｐ（１）において）出力することを実行する（Ｓ２１）。
【０１７６】
また、処理部１２０は、計時部１６０及びＧＰＳセンサー１１０の出力に基づいて、走行コースの一部であって、１ｋｍ区間と開始点（開始地点Ｐ（０））が共通する５ｋｍ区間（図６のラップ区間Ｐ（０）〜Ｐ（５））におけるラップ情報（ラップタイム、ラップペース、ラップ心拍数など）を、ユーザーが走行コースを走行している期間内に（当該５ｋｍ区間の終了地点Ｐ（５）において）出力することを実行する（Ｓ２７）。
【０１７７】
つまり、処理部１２０は、開始点が共通する１ｋｍ区間及び５ｋｍ区間のラップ情報をユーザーの走行中に出力する。よって、ユーザーは、互いに重複した異なる２通りの区間
における自分のパフォーマンスを、走行中に把握することができる。マラソンのように走行コースが長い場合、記録更新や完走を目標として最適なペース配分を見出す際には、相対的に短い区間のパフォーマンスだけでなく相対的に長い区間のパフォーマンスを考慮することが極めて重要となる。このため、本実施形態の電子機器１は、走行中のユーザーがペース管理を行う際の有効な補助となる。
【０１７８】
なお、仮に、処理部１２０が１ｋｍ区間のラップ情報の出力を最新の５ｋｍ区間に亘って繰り返したならば、ユーザーが最新の５ｋｍ区間のラップ情報を計算することは可能であるが、この計算をユーザーが走行中に行うことは極めて難しい。その点、本実施形態の電子機器１は、走行中のユーザーに計算を強いることがないので、ユーザーにとって使い勝手が良い。
【０１７９】
２．変形例
２−１．手動によるラップ区切りの変形例
以下、手動によるラップ区切りが行われた場合における電子機器１の動作の変形例を説明する。
【０１８０】
図９（１）、図９（２）は、オートラップ機能におけるラップ区切りの地点を説明する図である。図９（１）の矢印は、第１設定によるラップ区切りの地点を示しており、図９（１）の横方向が距離を表している。図９（２）の矢印は、第２設定によるラップ区切りの地点を示しており、図９（２）の横方向が距離を表している。
【０１８１】
図９（１’）、図９（２’）は、手動によるラップ区切りが行われた場合におけるオートラップ機能を説明する図である。図９（１’）の矢印は、第１設定によるラップ区切りの地点を示しており、図９（１’）の横方向が距離を表している。図９（２’）の矢印は、第２設定によるラップ区切りの地点を示しており、図９（２’）の横方向が距離を表している。そして、図９（１’）、図９（２’）における太い矢印（Ｌａｍ）は、手動によるラップ区切りの地点Ｐｍを示している。
【０１８２】
先ず、本実施形態の処理部１２０は、パフォーマンス計測中に手動によるラップ区切りが行われると、手動によるラップ区切りが行われた地点Ｐｍの属する１ｋｍ区間を、当該地点Ｐｍで中断して後続の１ｋｍ区間を開始する。
【０１８３】
例えば、手動によるラップ区切りの地点（入力を受け付けた点の一例）が３．５ｋｍ地点Ｐ（３．５）であったとすると、「３ｋｍ地点Ｐ（３）から４ｋｍ地点Ｐ（４）までの１ｋｍ区間」は、「３ｋｍ地点Ｐ（３）から３．５ｋｍ地点Ｐ（３．５）までの０．５ｋｍ区間」へと短縮される。
【０１８４】
この場合、処理部１２０は、３．５ｋｍ地点Ｐ（３．５）においては、「３ｋｍ地点Ｐ（３）から３．５ｋｍ地点Ｐ（３．５）までの０．５ｋｍ区間のラップ情報」を通知及び記録し、後続の１ｋｍ区間を開始する。つまり、後続の１ｋｍ区間の終了地点Ｐ（４．５）では、入力を受け付けた点Ｐ（３．５）を開始点とするラップ情報が記録及び通知される。
【０１８５】
また、本実施形態の処理部１２０は、パフォーマンス計測中に手動によるラップ区切りが行われると、手動によるラップ区切りが行われた地点Ｐｍの属する５ｋｍ区間を、当該地点Ｐｍで中断して後続の５ｋｍ区間を開始する。
【０１８６】
例えば、手動によるラップ区切りの地点が３．５ｋｍ地点Ｐ（３．５）であったとすると、「０ｋｍ地点Ｐ（０）から５ｋｍ地点Ｐ（５）までの５ｋｍ区間」は、「０ｋｍ地点
Ｐ（０）から３．５ｋｍ地点Ｐ（３．５）までの３．５ｋｍ区間」へと短縮される。
【０１８７】
この場合、処理部１２０は、３．５ｋｍ地点Ｐ（３．５）においては、「０ｋｍ地点Ｐ（０）から３．５ｋｍ地点Ｐ（３．５）までの３．５ｋｍ区間のラップ情報」を通知及び記録し、後続の５ｋｍ区間を開始する。つまり、後続の５ｋｍ区間の終了地点Ｐ（８．５）では、入力を受け付けた点Ｐ（３．５）を開始点とするラップ情報が記録及び通知される。
【０１８８】
つまり、手動によるラップ区切りが行われた場合でも、オートラップの区間の長さは一定（変更されない）である。手動によるラップ区切りが行われた場合でも、ユーザーは一定の長さのラップ区間についてのラップ情報を把握することができるので、他のラップ区間との比較がしやすい。
【０１８９】
なお、その場合は、図８に代えて図１０に示すフローが実行される。図１０に示すフローは、パフォーマンス計測のフローの変形例として説明する。
【０１９０】
２−２．パフォーマンス計測のフローの変形例
図１０は、電子機器１によるパフォーマンス計測（オートラップ機能オン）の処理のフローチャートである。ここでは、ユーザーが上述した第１設定及び第２設定により「１ｋｍ区間」及び「５ｋｍ区間」を設定したものと仮定する。以下、図１０における各処理を順に説明する。なお、先頭の１ｋ区間の開始点（開始地点）と先頭の５ｋｍ区間の開始点（開始地点）とは、共通している（０ｋｍ地点）。
【０１９１】
先ず、電子機器１の処理部１２０は、計測開始指示が入力されたか否かを判定し（Ｓ１１）、入力されない場合（Ｓ１１Ｎ）には待機する。
【０１９２】
その後、計測開始指示が入力されると（Ｓ１１Ｙ）、処理部１２０は、１ｋｍ区間の計測及び５ｋｍ区間の計測を開始する（Ｓ１３）。「１ｋｍ区間の計測」は、１ｋｍ区間の区切りにおいて通知又は記録すべきラップ情報（ラップタイム、ラップペース、ラップ心拍数など）を生成するための処理のことであり、「５ｋｍ区間の計測」は、５ｋｍ区間の区切りにおいて通知又は記録すべきラップ情報（ラップタイム、ラップペース、ラップ心拍数など）を生成するための処理のことである。
【０１９３】
次に、処理部１２０は、手動によるラップ区切りの指示が入力されたか否かを判定し（Ｓ１５）、入力されない場合（Ｓ１５Ｎ）は、手動によるラップ区切りに関する処理（Ｓ１７’）をスキップする。
【０１９４】
次に、処理部１２０は、現在地点が１ｋｍ区間の区切りの地点に達したか否かを判定し（Ｓ１９）、達していた場合には（Ｓ１９Ｙ）、最新１ｋｍ区間のラップタイム、ラップペース、ラップ心拍数などのラップ情報をユーザーへ通知すると共に（Ｓ２１）、記録する（Ｓ２３）。通知、記録の処理は、前述したとおりである。
【０１９５】
また、処理部１２０は、ステップＳ１９〜Ｓ２３の処理と前後して又は並行して、ステップＳ２５〜Ｓ２９の処理を実行する。
【０１９６】
すなわち、処理部１２０は、現在地点が５ｋｍ区間の区切りの地点に達したか否かを判定し（Ｓ２５）、達していた場合には（Ｓ２５Ｙ）、最新５ｋｍ区間のラップタイム、ラップペース、ラップ心拍数などのラップ情報をユーザーへ通知すると共に（Ｓ２７）、記録する（Ｓ２９）。通知、記録の処理は、前述したとおりである。
【０１９７】
一方、処理部１２０は、手動によるラップ区切りの指示が入力された場合には（Ｓ１５Ｙ）、ラップ区切りの指示が入力された地点（すなわち現在地点）の属する区間（すなわち、現在の１ｋｍ区間、現在の５ｋｍ区間）を、当該地点で中断する（Ｓ１７’）。中断する方法の詳細については、前述したとおりである（図９（１’），図９（２’））。
【０１９８】
また、中断により１ｋｍ区間の長さが一時的に１ｋｍより短くなるが、その場合であっても、処理部１２０は、当該区間の区切りの地点に現在地点が達したタイミング（ステップＳ１９Ｙ）でラップ情報の通知、記録（Ｓ２１、Ｓ２３）の処理を実行する。
【０１９９】
また、中断により５ｋｍ区間の長さが一時的に５ｋｍより短くなるが、その場合であっても、処理部１２０は、当該区間の区切りの地点に現在地点が達したタイミング（ステップＳ１９Ｙ）でラップ情報の通知、記録（Ｓ２１、Ｓ２３）の処理を実行する。
【０２００】
また、計測終了指示が入力されたか否かを判定し（Ｓ３５）、入力されない限り（Ｓ３５Ｎ）、以上のステップＳ１５〜Ｓ２９を繰り返す。
【０２０１】
そして、処理部１２０は、計測終了指示が入力された場合（Ｓ３５Ｙ）に、フローを終了する。
【０２０２】
２−３．振り返り機能
本実施形態のシステムは、パフォーマンス計測の終了後（マラソン後）に、電子機器１の記憶部１３０に蓄積されたユーザーパフォーマンスデータ１３３を情報端末２の表示部へ表示させることで、ラップ情報をユーザーが確認できるようにしてもよい。なお、ユーザーパフォーマンスデータ１３３を情報端末２へ転送する方法の一例については、前述したとおりである（図３、図４などを参照。）。
【０２０３】
図１１は、情報端末２の表示部に表示されたユーザーパフォーマンスデータの一例である。図１１に示すユーザーパフォーマンスデータは、オートラップ機能がオンされ、かつ、第１設定により１ｋｍ区間が設定され、かつ、第２設定により５ｋｍ区間が設定された場合のユーザーパフォーマンスデータの例である。図１１に示すとおり、情報端末２の表示部には、累積距離、スプリットタイム、走行距離、１ｋｍ区間のラップタイム、５ｋｍ区間のラップタイム、１ｋｍ区間のラップペース、５ｋｍ区間のラップペース、１ｋｍ区間のラップ心拍数、５ｋｍ区間のラップ心拍数などの情報が、時系列順に表示される。つまり、本実施形態では、ラップタイム、ラップペース、ラップ心拍数の各ラップ情報が、１ｋｍ区間と５ｋｍ区間のそれぞれについて表示される。
【０２０４】
なお、図１１には示していないが、ユーザーパフォーマンスデータには、ネットタイムとグロスタイムとがそれぞれ含まれていてもよい。ネットタイムは、スタート地点を起点とするタイムであり、グロスタイムは、スタート時刻を起点とするタイムである。
【０２０５】
また、図１１には示していないが、情報端末２は、サーバー４からダウンロードした地図上にラップ区切りの行われた地点を表示してもよい。
【０２０６】
また、図１１に示した数値は、実測された数値と同じであるとは限らない。
【０２０７】
２−４．ラップ区間のバリエーション
上記実施形態では、オートラップ機能のラップ区間の例として、「１ｋｍ区間」、「５ｋｍ区間」、「１分区間」を挙げたが、区間の長さはこれに限定されることはない。オートラップ機能のラップ区間の少なくとも１つは、「０．５ｋｍ区間」であってもよいし、「１０ｋｍ区間」であってもよいし、「２０分区間」であってもよい。
【０２０８】
２−５．ラップ情報のバリエーション
本実施形態の電子機器１の処理部１２０は、通知及び記録すべきラップ情報に、ラップタイム、ラップ距離、ラップペース、ラップ心拍数を含めたが、他のラップ情報を含めてもよい。ラップ情報は、ユーザーパフォーマンスデータ（又はユーザー活動量データ）を区間ごとに計測したものである。ユーザーパフォーマンスデータ（又はユーザー活動量データ）の例は、後述するが、以下、ラップ情報として採用可能なデータをいくつか説明する。
【０２０９】
例えば、処理部１２０は、通知及び記録すべきラップ情報の１つに、（ｇ）最大酸素摂取量（ＶＯ２ｍａｘ）を加えてもよい。
【０２１０】
ここで、最大酸素摂取量（ＶＯ２ｍａｘ）は、ラップ区間におけるユーザーの最大の酸素摂取量である。
【０２１１】
酸素摂取量は、ユーザーの年齢や性別、体重等のパラメーター値を用いて、所定の演算式に従って演算（推定）することができる。なお、演算式それ自体は公知であるため、ここでは説明を省略する。
【０２１２】
また、上記の実施形態の処理部１２０は、通知及び記録すべきラップ情報の１つに、（ｉ）最大脈拍数の項目と、（ｊ）最小脈拍数の項目の少なくとも一方を加えてもよい。
【０２１３】
ここで、最大脈拍数“ＨＲｍａｘ”は、ラップ区間におけるユーザーの最大の脈拍数であり、例えば「ＨＲｍａｘ＝２２０−ユーザーの年齢」によって算出することが可能である。
【０２１４】
また、最小脈拍数“ＨＲｍｉｎ”は、ラップ区間におけるユーザーの最小の脈拍数であり、例えば安静時脈拍数を設定することが可能である。一般的な成人の安静時脈拍数は「６０〜７０」程度である。この範囲の中から、ユーザーの性別や年齢等に基づいて安静時脈拍数を決定し、最小脈拍数“ＨＲｍｉｎ”として設定することができる。
【０２１５】
２−６．ユーザーパフォーマンスデータについて
また、上記の実施形態の処理部１２０は、以下のユーザーパフォーマンスデータの少なくとも１つを生成して記録してもよい。
【０２１６】
ユーザーパフォーマンスデータの例：運動距離（移動距離、累積移動距離）、運動時間、所定の心拍ゾーンにおける運動時間、歩数、ラップ歩数、走行ペース、走行ピッチ、歩幅（ストライド）、スプリットタイム、ラップタイム、累積上昇高度、累積下降高度、標高（運動した場所の平均高度）、勾配、トレーニング回数（ランニング回数、最大、平均など）、目標達成度、姿勢（走行姿勢）、左右差、接地時間、真下着地率、推進効率、脚の流れ、着地ブレーキ量、着地衝撃、心拍数、消費カロリー、酸素摂取量、発汗量、水分摂取量、所定条件における予想運動距離（移動距離、予想累積距離）、所定の心拍ゾーンに到達するまでの時間、所定条件での予想ペース、所定条件での予想ピッチ、所定条件での予想歩幅（予想ストライド）、所定条件での予想タイム（ラップタイム、スプリットタイム）、所定条件での予想消費カロリー、自動生成された目標、紫外線量、ＶＯ２ｍａｘ、ＳｐＯ２（動脈血酸素飽和度、推定値）、種目別ユーザーパフォーマンスデータ、…など。
【０２１７】
２−７．ユーザー活動量データについて
また、上記の実施形態の処理部１２０は、以下のユーザー活動量データの少なくとも１
つを生成して記録してもよい。
【０２１８】
ユーザー活動量データの例：移動距離、運動時間、歩数、歩行ペース、歩行ピッチ、歩幅、早歩き歩数、ランニング歩数、上昇階数（「５階分」、「２階分」等）、上昇階段数（「１００段」、「２００段」等）、心拍数、睡眠時間、ストレス（興奮状態とリラックス状態とのバランス）、酸素摂取量、発汗量、水分摂取量（ユーザーによる手動入力）、消費カロリー、摂取カロリー（ユーザーによる手動入力）、カロリー収支、体重（体重計との通信による入力、又はユーザーによる手動入力）、ウエストサイズ（ユーザーによる手動入力）、緊張時間とリラックス時間とのバランス（心バランス）、心拍数、目標達成度、紫外線量、ＶＯ２ｍａｘ、ＳｐＯ２（動脈血酸素飽和度、推定値）、睡眠状態（深い、浅い、良い、悪い、などの割合又は点数）…など。
【０２１９】
２−８．センサー種類について
上記の実施形態の電子機器１は、センサーとして、以下の各種のセンサーのうち少なくとも１つを用いることができる。すなわち、加速度センサー、ＧＰＳ（ＧＮＳＳ）センサー、角速度センサー、速度センサー、心拍センサー（胸ベルトなど）、脈拍センサー（心臓以外の場所で測るセンサー）、歩数計、圧力センサー、高度センサー、温度センサー（気温センサー、体温センサー）、地磁気センサー、体重計（電子機器１の外部装置として用いる）、紫外線センサー、発汗量センサー、血圧センサー、血中酸素濃度（ＳｐＯ２）センサー、乳酸センサー、血糖値センサーなどである。
【０２２０】
２−９．データ集計手法について
上記の実施形態の処理部１２０は、少なくとも１つのラップ情報として、ラップ区間内の平均値の他に、ラップ区間内の代表値（ベスト値、ワースト値）、ラップ区間内の累計、ラップ区間内の推移、ラップ区間内の割合、ラップ区間内のばらつき、ラップ区間内のばらつき（変動の大きさまたは小ささなど）、ラップ区間内の目標達成度、ラップ区間内データから算出した予想値、ラップ区間内のデータから算出した目標値、ラップ区間の評価結果（点数、レベル、良かった割合など）の少なくとも１つをユーザーへ通知又は記録することができる。
【０２２１】
２−１０．グラフ表示について
上記の実施形態の処理部１２０は、ラップ区間におけるデータを数値で表してもよいし、棒グラフや折れ線グラフなどの他種のグラフで表示してもよい。
【０２２２】
また、上記の実施形態の処理部１２０は、少なくとも１つのデータを数値イメージで表したが、ユーザーが所定の操作ボタンを押下し続けること（又は繰り返し押下すること）で数値イメージが時系列に切り替わるようにしてもよい。或いは、上記の実施形態の処理部１２０は、複数の数値イメージを画面内に列記することで数値の推移が一覧できるようにしてもよい。
【０２２３】
また、上記の実施形態の処理部１２０は、少なくとも１つのデータを当該項目の目標と共に表示してもよい（目標と結果）。また、その場合、処理部１２０は、或る項目のデータが目標に達した場合には、データを強調表示してもよい。データの強調表示は、データのコントラスト、明るさ、色、彩度の少なくとも１つを変化させたり、反転表示したり、点滅表示したり、マークを付与したり、データの表示サイズを拡大したりすることなどにより行われる。
【０２２４】
また、上記の実施形態の処理部１２０は、少なくとも１つの項目に関する（ｉ）目標と結果、（ｉｉ）結果と予想、（ｉｉｉ）最大最小と平均のうち、少なくとも１つの組み合わせを並べて表示してもよい。
【０２２５】
２−１１．通知態様について
また、電子機器１又は情報端末２は、ユーザーに対する情報の通知を、画像表示により行ってもよいし、音出力、振動、光、色（ＬＥＤの発光やディスプレイの表示色）などにより行ってもよいし、画像表示、音出力、振動、光、色のうち少なくとも２つの組み合わせにより行ってもよい。
【０２２６】
２−１２．ユーザー設定について
また、上記の実施形態では、第１設定及び第２設定の双方を電子機器１に対してユーザーが直接的に行ったが、第１設定及び第２設定の少なくとも一方を、ユーザーが情報端末２を介して間接的に行ってもよい。情報端末２は、電子機器１の設定に必要な情報（距離と時間の別、区間の長さ）をユーザーに入力させ、情報端末２は、電子機器１と通信可能な環境にあるときに、当該情報を電子機器１へ転送すればよい。
【０２２７】
２−１３．その他のカスタマイズについて
また、上記の実施形態の処理部１２０によるユーザーへの通知内容（通知期間、通知項目、通知態様、集計手法、通知順序などを含む）の少なくとも一部は、ユーザーが予め設定することが可能（カスタマイズ可能）であってもよい。
【０２２８】
２−１４．機器の形態について
また、電子機器１及び情報端末２の少なくとも一方は、リスト型電子機器、イヤホン型電子機器、指輪型電子機器、ペンダント型電子機器、スポーツ器具に装着して使用する電子機器、スマートフォン、ヘッドマウントディスプレイ（ＨＭＤ：Head Mount Display）、ヘッドアップディスプレイ（ＨＵＤ：Head Up Display）など、様々なタイプの携帯情報機器として構成することができる。
【０２２９】
２−１５．オプション機能について
また、電子機器１及び情報端末２の少なくとも一方には、他の機能が搭載されてもよい。他の機能とは、例えば公知のスマートフォン機能である。スマートフォン機能には、例えば、通話機能、メール着信通知機能、電話着信通知機能、通信機能、カメラ機能、などが含まれる。
【０２３０】
２−１６．システム用途について
また、本実施形態のシステムは、ルートの区間におけるペースや速度、距離等の情報を参照する活動に適用が可能である。例えば、マラソン、ランニング、ウォーキングのほか、登山、トレッキング、競歩、スキー（クロスカントリー）、スノーボード、スノーシューハイキング、自転車、スイミング、トライアスロン、スケート、バイク、トレイルランニング、犬ぞり、などの各種スポーツが挙げられる。またスポーツ以外であっても、各種フィットネス等を含むアクティビティ、例えばダイエット、リハビリテーションなどにも適用が可能である。なお、ラップ機能以外の機能については、適宜組み合わせて上記以外の種目等にも適用可能である。また、本実施形態のシステムは、各用途に応じて異なる項目をロギングしてもよいし、ユーザーに用途を選択させてもよい。
【０２３１】
２−１６．システム形態について
上記の実施形態では、サーバー４の機能の一部が情報端末２又は電子機器１に搭載されてもよいし、情報端末２又は電子機器１の機能の一部がサーバー４に搭載されてもよい。また、上記の実施形態では、電子機器１の機能の一部又は全部が情報端末２に搭載されてもよいし、サーバー４及び情報端末２の機能の一部又は全部が電子機器１に搭載されてもよいし、サーバー４及び電子機器１の機能の一部又は全部が情報端末２に搭載されてもよい。
【０２３２】
２−１７．測位システムについて
また、上記の実施形態では、全地球衛星測位システムとしてＧＰＳ（Global Positioning System）を利用したが、他の全地球航法衛星システム（ＧＮＳＳ：Global Navigation
Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０２３３】
３．その他
本発明は上記の実施形態に限定されず、本発明の要旨の範囲内で種々の変形実施が可能である。
【０２３４】
また、上述した各実施形態及び各変形例は一例であって、これらに限定されるわけではない。例えば、各実施形態及び各変形例を適宜組み合わせることも可能である。
【０２３５】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０２３６】
１…電子機器、１１０…ＧＰＳセンサー、１２０…処理部、１３０…記憶部、１１１…地磁気センサー、１１２…気圧センサー、１１３…加速度センサー、１１４…角速度センサー、１１５…脈センサー、１１６…温度センサー、１５０…操作部、１６０…計時部、１７０…表示部、１８０…音出力部、１９０…通信部、２…情報端末、３…ネットワーク、４…サーバー
【図１】
0006583058.tif 000002
【図２】
0006583058.tif 000003
【図３】
0006583058.tif 000004
【図４】
0006583058.tif 000005
【図５】
0006583058.tif 000006
【図６】
0006583058.tif 000007
【図７】
0006583058.tif 000008
【図８】
0006583058.tif 000009
【図９】
0006583058.tif 000010
【図１０】
0006583058.tif 000011
【図１１】
0006583058.tif 000012